(57)【特許請求の範囲】
【請求項１】
放送番組の素材の収録を管理する収録管理装置において、
複数の収録系統について、収録系統毎に、毎日又は特定の曜日の定時に素材を収録するスケジュールに関する情報として、該スケジュールの有効期間、収録曜日及び収録時間を入力する入力手段と、
前記入力手段による入力内容に基づいて、スケジュールに関する情報を記憶する記憶手段と、
前記記憶手段の記憶内容に基づいて、同一の収録系統に係る２以上のスケジュールについて、有効期間の重複の判定と収録時間の重複の判定を収録時間の日またぎ及び収録曜日を考慮して行い、有効期間が重複し且つ収録時間が重複する場合に、これらのスケジュールが重複していることを検出する重複検出手段と、
前記記憶手段の記憶内容に基づいて、前記重複検出手段による検出結果に応じた表示態様で、スケジュールに関する情報を表示する表示手段と、
を備えたことを特徴とする放送番組の素材の収録管理装置。
【請求項２】
放送番組の素材の収録を管理する収録管理装置において、
複数の収録系統について、収録系統毎に、毎日又は特定の曜日の定時に素材を収録するスケジュールに関する情報として、該スケジュールの有効期間、収録曜日及び収録時間を入力し、
前記入力内容に基づいて、スケジュールに関する情報を記憶し、
前記記憶内容に基づいて、同一の収録系統に係る２以上の定時収録マスタについて、有効期間の重複の判定と収録時間の重複の判定を収録時間の日またぎ及び収録曜日を考慮して行い、有効期間が重複し且つ収録時間が重複する場合に、これらのスケジュールが重複していることを検出し、
前記記憶内容に基づいて、前記検出結果に応じた表示態様で、スケジュールに関する情報を表示することを特徴とする放送番組の素材の収録管理方法。
【発明の詳細な説明】
【技術分野】
【０００１】
本発明は、放送番組の素材の収録管理装置に関し、特に、素材を収録するスケジュールを受け付ける際に同一の収録系統について日時が重複するものを許容し、受け付けた２以上のスケジュールの日時の重複を検出する収録管理装置に関する。
【背景技術】
【０００２】
例えば、放送システムでは、放送番組の一部又は全部を構成する素材（例えば、映像や音声）を外部のシステムなどから受信して、その素材を記憶装置に記憶する（収録する）ことが行われている。このような収録は、例えば、複数の収録系統のそれぞれ毎に行われる。
また、素材を収録するスケジュールを管理することが行われており、スケジュールを受け付ける際には、同一の収録系統について日時が重複するものは受け付けない構成であった。
【先行技術文献】
【特許文献】
【０００３】
【特許文献１】特開２００７−１２４０６９号公報
【発明の概要】
【発明が解決しようとする課題】
【０００４】
しかしながら、放送分野において、同一の収録系統について日時が重複するスケジュールを受け付けることが可能な仕様も必要とされ、更なる開発が必要であった。
本発明は、このような従来の事情に鑑み為されたもので、素材を収録するスケジュールを受け付ける際に同一の収録系統について日時が重複するものを許容し、受け付けた２以上のスケジュールの日時の重複を検出することで、使い勝手が良い放送番組の素材の収録管理装置を提供することを目的とする。
【課題を解決するための手段】
【０００５】
上記目的を達成するため、本発明では、放送番組の素材の収録を管理する収録管理装置において、次のような構成とした。
すなわち、入力手段が、複数の収録系統について、収録系統毎に、素材を収録する日時を含むスケジュールを定めるための情報を入力する。記憶手段が、前記入力手段による入力内容に基づいて、スケジュールに関する情報を記憶する。重複検出手段が、前記記憶手段の記憶内容に基づいて、同一の収録系統について２以上のスケジュールの日時の重複（一部又は全部の重複）を検出する。表示手段が、前記記憶手段の記憶内容に基づいて、前記重複検出手段による検出結果に応じた表示態様で、スケジュールに関する情報を表示する。
【０００６】
従って、素材を収録するスケジュールを受け付ける際に同一の収録系統について日時が重複（一部又は全部が重複）するものを許容し、受け付けた２以上のスケジュールの日時の重複を検出することで、ユーザーの使い勝手を良くすることができる。例えば、スケジュールの重複の状況をユーザーに対して表示することや、それを見たユーザーによりスケジュールの重複を無くすように編集すること、などができる。
なお、例えば、スケジュールの重複を放置したままその収録開始時間になった場合にはエラーとする機能を設けることも可能である。
【０００７】
ここで、素材としては、種々なものが用いられてもよく、例えば、放送番組の一部又は全部を構成する映像や音声を用いることができる。
また、収録管理装置は、例えば、単体の装置として構成されてもよく、或いは、複数の装置（例えば、筐体）に機能が分散されて構成されてもよい。
また、複数の収録系統としては、任意のものが用いられてもよく、例えば、複数の端子（ポート）を用いることができる。また、複数の収録系統の数としては、任意の数が用いられてもよい。
【０００８】
また、スケジュールの重複は、収録の日時（日付及び時刻）に基づいて検出され、収録の日付における収録の時間帯の一部が重なる場合或いは全部が重なる場合にスケジュールが重複すると判定する。
また、素材を収録する日時を含むスケジュールを定めるための情報としては、必ずしも素材を収録する日時の情報そのものを含まなくてもよく、例えば、収録系統、有効期間（開始日や終了日）、曜日、時間（収録の開始時刻や終了時刻）などの情報を用いることができ、この情報から日時を定めることが可能である。
【０００９】
また、入力手段としては、例えば、ユーザーにより操作されるキーボードやマウス等を用いることや、或いは、外部の装置や記憶媒体から情報（データ）を入力する機能部を用いることができる。
また、記憶手段としては、例えば、データベースや記憶装置（メモリ）を用いて構成することができる。
また、記憶手段に記憶されるスケジュールに関する情報としては、種々な情報が用いられてもよく、例えば、入力手段により入力された情報や、或いは、それが加工された情報を用いることができる。
【００１０】
また、重複検出手段による検出は、例えば、予め設定されたアルゴリズム等に基づいて所定のタイミングで（自動的に）行われてもよく、或いは、ユーザーや外部の装置からの指示に基づいて行われてもよい。
また、表示手段としては、例えば、情報を画面に表示する機能部を用いることができる。
また、表示手段により表示されるスケジュールに関する情報としては、種々な情報が用いられてもよく、例えば、記憶手段に記憶された情報や、或いは、それが加工された情報を用いることができる。
【００１１】
また、重複検出手段による検出結果に応じた表示態様としては、種々な態様が用いられてもよく、例えば、複数のスケジュールを一覧表示などする場合に、その中で重複する２以上のスケジュールを重ねて表示する態様（例えば、図５の例）や、或いは、（装置により抽出された）重複する複数のスケジュールを重ねずに一覧表示する態様（例えば、図１１、図１２の例）などを用いることができる。
【発明の効果】
【００１２】
以上説明したように、本発明に係る放送番組の素材の収録管理装置によると、素材を収録するスケジュールを受け付ける際に同一の収録系統について日時が重複するものを許容し、受け付けた２以上のスケジュールの日時の重複を検出することで、ユーザーの使い勝手を良くすることができる。
【図面の簡単な説明】
【００１３】
【図１】本発明の一実施例に係るビデオサーバーシステムのメンテナンス端末における定時収録マスタ設定・管理機能に関する画面遷移の一例を示す図である。
【図２】定時収録マスタ管理画面の概要例を示す図である。
【図３】定時収録マスタ管理画面の詳細例を示す図である。
【図４】カレンダーによる収録日の指定の一例を示す図である。
【図５】定時収録マスタ管理画面の表示例を示す図である。
【図６】定時収録マスタ管理画面における収録スケジュールの選択手順の一例を示す図である。
【図７】（ａ）、（ｂ）、（ｃ）は表示スケールを変えたときの表示例を示す図である。
【図８】（ａ）、（ｂ）は日またぎの表示例を示す図である。
【図９】定時収録マスタ管理画面の表示動作の処理の手順の一例を示す図である。
【図１０】定時収録マスタ一覧画面の詳細例を示す図である。
【図１１】定時収録マスタ重複チェック結果一覧画面の詳細例を示す図である。
【図１２】重複チェック結果一覧表示の並べ替えの例を示す図である。
【図１３】定時収録マスタ編集画面の概要例を示す図である。
【図１４】本発明の一実施例に係る収録管理装置の構成例を示す図である。
【発明を実施するための形態】
【００１４】
本発明に係る実施例を図面を参照して説明する。
まず、本発明の一実施例に係る収録管理装置の概要について説明する。
図１４には、本発明の一実施例に係る収録管理装置２０１の構成例を示してある。
本例の収録管理装置２０１は、入力部（入力手段の機能を有する処理部）２１１、記憶部（記憶手段の機能を有する処理部）２１２、表示部（表示手段の機能を有する処理部）２１３、重複検出部（重複検出手段の機能を有する処理部）２２１を有した制御部２１４を備えている。
【００１５】
ここで、入力部２１１は、例えば、ユーザーにより操作されて各種の指示や情報を受け付けるキーボードやマウス等から構成されており、また、外部の装置や記憶媒体から情報（データ）を入力する機能部を有してもよい。
また、記憶部２１２は、放送番組の素材を収録するスケジュールなどの各種の情報を記憶する記憶装置などから構成されている。
また、表示部２１３は、各種の情報を画面に表示するディスプレイなどから構成されている。
また、重複検出部２２１は、スケジュールの重複を検出する機能を有している。
また、制御部２１４は、収録管理装置２０１において、各種の処理や制御を行う機能を有している。
【００１６】
本例では、収録管理装置は、ビデオサーバーシステムに設けられたメンテナンス端末に適用されている。
本例のメンテナンス端末では、例えば、予め設定された処理の手順（アルゴリズム）に従って、各種の処理が実行される。
【００１７】
以下で、詳細に説明する。
本発明の一実施例に係るビデオサーバーシステムでは、定時伝送の素材（リソース）を効率的に収録するために、定時収録機能を有している。定時収録機能は、例えば、毎日（又は、毎週の特定の曜日に）決まった時間に伝送される素材について、その都度収録スケジュールを登録することなく、定時収録マスタを元に収録スケジュールを自動生成して自動収録する機能である。定時収録マスタは、ビデオサーバーシステムに設けられたメンテナンス端末で設定や管理される。
【００１８】
ここで、メンテナンス端末は、例えば、パーソナルコンピュータ（ＰＣ）を用いて構成される装置であり、ユーザー（人）により操作されて各種の指示や情報を受け付けるキーボードやマウス等や、ユーザーに対して情報を画面に表示するディスプレイ、などを有している。これにより、ユーザーは、メンテナンス端末の画面に表示された内容を見ることや、その内容について編集等を行うことができる。
【００１９】
図１には、本発明の一実施例に係るビデオサーバーシステムのメンテナンス端末における定時収録マスタ設定・管理機能に関する画面遷移の一例を示してある。
本例の定時収録マスタ設定・管理機能は、ログイン画面１、メンテナンスメニュー画面２、定時収録マスタ管理画面３、定時収録マスタ一覧画面４、定時収録マスタ重複チェック結果一覧画面５、定時収録マスタ編集画面６、定時収録マスタ削除画面７、収録先切替機切替画面８を用いて実現されている。
【００２０】
ここで、収録先切替機は、収録先を切り替える機能を有しており、本例では、複数（例えば、７０）の収録系統のそれぞれと入力される複数の素材のそれぞれとの接続状態を切り替える。
なお、収録先切替機は、例えば、ニュース用のプリセットＭＴＸで、ビデオサーバーシステムのベースバンド収録の収録系統前段に、このＭＴＸが位置する。
【００２１】
ログイン画面１は、メンテナンス端末からシステムにログインするための画面である。
メンテナンスメニュー画面２は、メンテナンス端末から利用することができる各機能のメニュー画面である。
なお、ログイン画面１、メンテナンスメニュー画面２としては、それぞれ、種々なものが用いられてもよい。
【００２２】
定時収録マスタ管理画面３は、収録日等の検索条件の指定を受け付けて、指定された検索条件に該当する定時収録マスタを表示する画面である。本例では、定時収録マスタをガントチャートで表示する。
定時収録マスタ一覧画面４は、定時収録マスタの一覧を表示する画面である。本例では、定時収録マスタの一覧をテキストで表示する。
定時収録マスタ重複チェック結果一覧画面５は、定時収録マスタのスケジュールの重複状況を表示する画面である。本例では、定時収録マスタのスケジュールの重複状況をテキストで表示する。
ここで、本例では、あるスケジュールと他のスケジュールが、同一の収録系統のものであり、日時の一部又は全部が重なるときに、これらのスケジュールが重複すると言う。
【００２３】
定時収録マスタ編集画面６は、定時収録マスタを編集するための画面である。
定時収録マスタ削除画面７は、定時収録マスタを削除するための画面であり、定時収録マスタを削除する前に内容を表示することが可能である。
収録先切替機切替画面８は、収録先切替機の切替先を指定する（リソースを選択する）ための画面である。
【００２４】
図１には、画面から画面への遷移Ｔ１〜Ｔ５を併せて示してある。
各遷移Ｔ１〜Ｔ５は、ある画面から他の画面への遷移とその逆の遷移を併せて示すものである。以下、遷移Ｔ１〜Ｔ５の各々について具体的に説明する。
【００２５】
遷移Ｔ１は、定時収録マスタ管理画面３から定時収録マスタ一覧画面４への画面遷移（及びその逆の画面遷移）を示す。
定時収録マスタ一覧画面４を用意することにより、登録されている全ての定時収録マスタを一覧表示することができる。なお、これに対して、定時収録マスタ管理画面３は、検索条件に該当する定時収録マスタのみを表示する。
また、定時収録マスタ一覧画面４では、複数の定時収録マスタを選択して、それらを削除することができる。
また、定時収録マスタ一覧画面４では、単数の定時収録マスタを選択して、定時収録マスタ編集画面６へ遷移すること（遷移Ｔ２）ができる。
ここで、定時収録マスタ管理画面３が画面遷移の頂点に置かれ、遷移Ｔ１を介して定時収録マスタ一覧画面４が用意された理由は、定時収録マスタ管理画面３から遷移Ｔ４を介して定時収録マスタ編集画面６を使用する頻度が大きいからである。
【００２６】
遷移Ｔ２は、定時収録マスタ一覧画面４から定時収録マスタ編集画面６への画面遷移（及びその逆の画面遷移）を示す。
定時収録マスタ編集画面６では、登録済みの定時収録マスタを編集することができる。また、新たな定時収録マスタを新規登録することができる。
なお、定時収録マスタ編集画面６から収録先切替機切替画面８への遷移は、編集項目の一つとして収録先切替機の切替先を指定するものに対応する。
【００２７】
遷移Ｔ３は、定時収録マスタ管理画面３から定時収録マスタ重複チェック結果一覧画面５への画面遷移（及びその逆の画面遷移）を示す。
ここで、本例では、登録しようとした定時収録マスタのスケジュールが、他の登録済みの定時収録マスタのスケジュールと重複（一部重複、及び、全部重複を含む）していた場合には、登録処理を中断し、その登録しようとした定時収録マスタを再編集するように促す画面仕様は、用いていない。
その代わりに、本例では、重複の有無にかかわらずに、登録しようとした定時収録マスタはそのまま登録した後で、重複している相手の定時収録マスタを編集する場合が考えられるため、スケジュールが重複した状態での登録ができるようにしている。そこで、本例では、スケジュールの重複状態を確認するために、定時収録マスタ重複チェック結果一覧画面５が設けられている。
定時収録マスタ重複チェック結果一覧画面５を用意することにより、登録されている全ての定時収録マスタの定時収録スケジュールに関して、その重複状況を確認することができる。
【００２８】
遷移Ｔ４は、定時収録マスタ管理画面３から定時収録マスタ編集画面６への画面遷移（及びその逆の画面遷移）を示す。
定時収録マスタ編集画面６では、登録済みの定時収録マスタを編集することができる。また、新たな定時収録マスタを新規登録することができる。
なお、定時収録マスタ編集画面６から収録先切替機切替画面８への遷移は、編集項目の一つとして収録先切替機の切替先を指定するものに対応する。
【００２９】
遷移Ｔ５は、定時収録マスタ管理画面３から定時収録マスタ削除画面７への画面遷移（及びその逆の画面遷移）を示す。
定時収録マスタ削除画面７では、登録済みの指定した定時収録マスタの内容を確認した後で、その登録済みの定時収録マスタを削除（登録削除）することができる。
【００３０】
なお、定時収録マスタ管理画面３から収録先切替機切替画面８への遷移は、検索条件項目の一つとして収録先切替機の切替先を指定するものに対応する。
【００３１】
図２には、定時収録マスタ管理画面３の概要例を示してある。
本例の定時収録マスタ管理画面３は、領域Ａ１〜Ａ４の四つの領域に分割されている。
領域Ａ１は、収録日等の検索条件を設定する領域である。
領域Ａ２は、検索条件に適合した定時収録マスタのスケジュールをガントチャートに表示する領域である。
領域Ａ３は、検索条件に適合した定時収録マスタのスケジュールをテキストベースで表示する領域であり、この領域で特定の定時収録マスタのスケジュールを指定することができる。本例では、定時収録マスタのスケジュールは重複して登録することができ、領域Ａ２で特定の定時収録マスタのスケジュールを指定することが困難である場合が考えられるため、この領域Ａ３を設けてある。
領域Ａ４は、操作ボタンを配置する領域である。
【００３２】
図３には、定時収録マスタ管理画面３の詳細例を示してある。
領域Ａ１は、検索条件の設定部として、収録日設定部３１、収録開始時刻設定部３２、タイトル設定部３３、サブタイトル設定部３４、収録先切替機設定部３５、宛先部局設定部３６、素材種別設定部３７を有すると共に、各設定部３１〜３７で設定された検索条件に基づく検索を開始（実行）するための検索ボタン３８を有する。
ここで、定時収録マスタ編集画面の詳細例で後述するように定時収録マスタに多数の付帯情報があり、そのうちのいくつかを検索条件としている。
【００３３】
収録日設定部３１では、検索条件として収録日を指定する。本例では、収録日は検索必須項目（検索条件として設定することが必須の項目）である。収録日設定部３１にはデフォルトとして現在日が表示される。ボタンを選択するとカレンダーが表示され、そのカレンダーから任意の日を設定することができる。
収録開始時刻設定部３２では、検索条件として収録開始時刻の範囲を指定する。本例では、収録開始時刻は検索必須項目である。
【００３４】
タイトル設定部３３では、検索条件としてタイトルを指定する。本例では、タイトルは任意項目であり、タイトル設定部３３に対応して設けられたチェックボックスをＯＮ（オン）にした後に指定することができるようにしてある。本例では、検索時には、タイトル設定部３３の設定値との部分一致検索が行われる。
【００３５】
サブタイトル設定部３４では、検索条件としてサブタイトルを指定する。本例では、サブタイトルは任意項目であり、サブタイトル設定部３４に対応して設けられたチェックボックスをＯＮにした後に指定することができるようにしてある。本例では、検索時には、サブタイトル設定部３４の設定値との部分一致検索が行われる。
【００３６】
収録先切替機設定部３５では、検索条件として収録先切替機リソースを指定する。本例では、収録先切替機リソースは任意項目であり、収録先切替機設定部３５に対応して設けられたチェックボックスをＯＮにした後に指定することができるようにしてある。また、本例では、収録先切替機設定部３５をボタンとして設けてあり、そのボタンの表面には現在設定されている収録先切替機リソースが表示され、そのボタンの押下により収録先切替機切替画面８へ遷移して設定値を変更することができる。
【００３７】
宛先部局設定部３６では、検索条件として宛先部局を選択する。本例では、宛先部局は任意項目であり、チェックボックスをＯＮにした後に指定することができるようにしてある。
素材種別設定部３７では、検索条件として素材種別を選択する。本例では、素材種別は任意項目であり、チェックボックスをＯＮにした後に指定することができるようにしてある。
【００３８】
検索ボタン３８は、各設定部３１〜３７で設定された検索条件による定時収録マスタの検索処理を開始（実行）するためのボタンである。検索ボタン３８が押下されると、検索条件に適合した定時収録マスタが検索されて定時収録マスタスケジュール表示部４０（領域Ａ２）に表示される。
【００３９】
領域Ａ２は、検索結果（検索条件に適合した定時収録マスタ）をガントチャートに表示する定時収録マスタスケジュール表示部４０を有すると共に、その表示スケールを指定するための表示スケールドロップダウン３９を有する。
【００４０】
表示スケールドロップダウン３９では、定時収録マスタスケジュール表示部４０の横方向（日付と時刻）の表示スケールを指定する。本例では、「３時間」、「６時間」、「１２時間」、「２４時間」から表示スケールを選択することができ、デフォルトは「３時間」にしてある。
定時収録マスタスケジュール表示部４０は、収録系統表示欄４１、日時表示欄４２、定時収録マスタ表示欄４３、縦方向スクロールバー４４、横方向スクロールバー４５により構成されており、定時収録マスタを収録系統別にガントチャートで表示する。
【００４１】
収録系統表示欄４１には、定時収録マスタのガントチャートにおける縦方向の項目である収録系統が表示される。本例では、収録系統表示欄４１に表示された収録系統をクリックすることにより１つの収録系統を選択することができる。収録系統が選択されると、収録スケジュール一覧表示部４６（領域Ａ３）に選択された収録系統の収録スケジュールが一覧表示される。
日時表示欄４２には、定時収録マスタのガントチャートにおける横方向の項目である日付及び時刻が表示される。本例では、日時表示欄４２は、収録日（収録日設定部３１の設定値）の前後３日の範囲（全７日間）で横スクロールさせることができる。
【００４２】
定時収録マスタ表示欄４３には、検索条件に適合する定時収録マスタが収録系統別に且つ日付及び時刻別に表示される。本例では、収録スケジュール一覧表示部４６（領域Ａ３）で選択されている収録スケジュールに対応するスケジュール帯が強調表示されるようにしてあり、図３の例では、表示されている３つのスケジュール帯Ｐ１、Ｐ２、Ｐ３のうちの１つのスケジュール帯Ｐ２が強調表示されている。また、各スケジュール帯Ｐ１〜Ｐ３には、それぞれの定時収録マスタの収録先切替機リソースやタイトルなどが表示される。また、定時収録マスタ表示欄４３は、初期状態では現在日の時刻００：００を左端としてあり、検索ボタン３８の押下まで定時収録マスタは表示されない。
【００４３】
縦方向スクロールバー４４は、定時収録マスタ表示欄４３の収録系統を縦スクロールさせるための操作部である。上下の単矢印ボタンによる１収録系統単位の縦スクロール、つまみ部のドラッグによる移動量に応じた縦スクロール、レール部（つまみ部の移動域）のクリックによる１ページ単位の縦スクロール、といった操作が可能である。
横方向スクロールバー４５は、定時収録マスタ表示欄４３の日付と時刻を横スクロールさせるための操作部である。左右の２重矢印ボタンによる１日（２４時間）単位の横スクロール、左右の単矢印ボタンによる１目盛単位の横スクロール、つまみ部のドラッグによる移動量に応じた横スクロール、レール部（つまみ部の移動域）のクリックによる１ページ単位の横スクロール、といった操作が可能である。
【００４４】
領域Ａ３は、定時収録マスタスケジュール表示部４０（領域Ａ２）で選択されている収録系統に設定されている収録スケジュールを一覧表示する収録スケジュール一覧表示部４６を有する。
収録スケジュール一覧表示部４６では、各行をクリックすることにより、収録スケジュールを１つだけ選択することができ、図３の例では、２行目の収録スケジュールが選択されている。また、各列のヘッダーをクリックすることにより、一覧の並べ替えを行うことができる。
【００４５】
領域Ａ４は、全マスタ一覧ボタン４７、重複チェック結果一覧ボタン４８、新規登録ボタン４９、コピーして登録ボタン５０、変更ボタン５１、削除ボタン５２、戻るボタン５３を有する。
【００４６】
全マスタ一覧ボタン４７は、データベース（ＤＢ）に登録されている全ての定時収録マスタの一覧を表示するためのボタンである。全マスタ一覧ボタン４７が押下されると定時収録マスタ一覧画面４へ画面遷移し、遷移先の画面において、ＤＢに登録されている全ての定時収録マスタの一覧が表示される。
【００４７】
重複チェック結果一覧ボタン４８は、ＤＢに登録されている全ての定時収録マスタの収録スケジュール重複チェック結果の一覧を表示するためのボタンである。重複チェック結果一覧ボタン４８が押下されると定時収録マスタ重複チェック結果一覧画面５へ画面遷移し、遷移先の画面において、ＤＢに登録されている全ての定時収録マスタの収録スケジュール重複チェック結果の一覧が表示される。
【００４８】
新規登録ボタン４９は、新たな定時収録マスタを新規登録するためのボタンである。新規登録ボタン４９が押下されると定時収録マスタ編集画面６へ画面遷移し、遷移先の画面において、新たな定時収録マスタを登録することができる。
コピーして登録ボタン５０は、収録スケジュール一覧表示部４６（領域Ａ３）で選択されている定時収録マスタの内容をコピーして新たな定時収録マスタを新規登録するためのボタンである。コピーして登録ボタン５０が押下されると定時収録マスタ編集画面６へ画面遷移し、遷移先の画面において、定時収録マスタのコピーを登録することができる。
【００４９】
変更ボタン５１は、収録スケジュール一覧表示部４６（領域Ａ３）で選択されている収録スケジュールを含む定時収録マスタの内容を変更するためのボタンである。変更ボタン５１が押下されると定時収録マスタ編集画面６へ画面遷移し、遷移先の画面において、定時収録マスタの内容を変更することができる。
【００５０】
削除ボタン５２は、収録スケジュール一覧表示部４６（領域Ａ３）で選択されている定時収録マスタを削除するためのボタンである。削除ボタン５２が押下されると定時収録マスタ削除画面７へ画面遷移し、遷移先の画面において、削除対象の定時収録マスタの内容を、例えばその削除前に確認してから、削除することができる。
戻るボタン５３は、メンテナンスメニュー画面２に戻るためのボタンである。戻るボタン５３が押下されるとメンテナンスメニュー画面２へ画面遷移する。
【００５１】
定時収録マスタスケジュール表示部４０の初期表示について説明する。
初期状態では、定時収録マスタスケジュール表示部４０の左端の時刻を当日（現在日）の時刻００：００とし、定時収録マスタは何も表示されない。検索ボタン３８が押下されることにより、検索条件に適合した定時収録マスタを定時収録マスタスケジュール表示部４０にガントチャートで表示する。
検索ボタン３８が押下された直後の表示では、「収録日」（収録日設定部３１）で指定された日の、「収録開始時刻」（収録開始時刻設定部３２）で指定された時刻の範囲における先頭時刻を左端として表示する。これにより、ユーザーが確認したい収録日及び収録時間を検索条件に入力することによって、指定することができる。且つ、検索ボタン３８の押下の直後に、指定日や指定時間帯を直ちに視認することができるようにしてある。
【００５２】
収録日の指定方法について説明する。
図４には、カレンダーによる収録日の指定の一例を示してある。
本例の定時収録マスタ管理画面３には、図４に示されるように、収録日設定部３１の右側にカレンダーボタン７１を設けてあり、カレンダーボタン７１の押下（例えば、クリック）によって表示される月単位のカレンダー７２の中から収録日を指定することができる。また、収録日設定部３１を選択した後に、キーボードにより収録日を直接入力することもできる。
【００５３】
定時収録マスタのスケジュールの選択について説明する。
図５には、定時収録マスタ管理画面３の表示例を示してある。図５では、説明の便宜上、収録スケジュール一覧表示部４６の一部を拡大視した拡大画像８１、及び、定時収録マスタスケジュール表示部４０の一部を拡大視した拡大画像８２を定時収録マスタ管理画面３上に重ねて示してある。
【００５４】
拡大画像８２の上段部分に示す例では、定時収録マスタスケジュール表示部４０に２つの収録スケジュールＰ１１、Ｐ１２が表示されると共に、これらの背後に収録スケジュールＰ１３が隠れた状態となっている。このとき、拡大画像８１に示すように、収録スケジュール一覧表示部４６において表示されている収録スケジュールの中の一つ（本例では、収録スケジュールＰ１３に対応する行）が選択（例えば、クリック）されると、拡大画像８２の下段部分に示すように、定時収録マスタスケジュール表示部４０では、選択された収録スケジュールＰ１３が最前面に表示されて強調表示される。
【００５５】
本例のシステムでは、定時収録マスタの収録スケジュールが他のスケジュールに対して時間的に重複して登録されることが許容されている。このような場合、定時収録マスタスケジュール表示部４０では、図５に示されるように、２以上のスケジュールが重なり、そのままでは見えない状況が考えられる。このため、本例では、収録スケジュール一覧表示部４６に表示されている収録スケジュールの中の一つを選択して、見えるようにすることができる。
【００５６】
特定の定時収録マスタの収録スケジュールを選択する運用方法のフローを説明する。
図６には、定時収録マスタ管理画面３における収録スケジュールの選択手順の一例を示してある。
定時収録マスタ管理画面３の検索条件設定領域（図２中の領域Ａ１）において、絞り込む定時収録マスタの条件を設定して検索する手順が行われる（ステップＳ１１）。
具体的には、「収録日」（収録日設定部３１）及び「収録開始時刻」（収録開始時刻設定部３２）の指定によってユーザーが確認したい日時を特定させ、検索ボタン３８が押下された直後に、その収録日３１及び収録時間３２のスケジュール状況を定時収録マスタスケジュール表示部４０に表示することで、ユーザーに余計な操作をさせることなく、確認したい時間帯を確認させることができるようにした。
【００５７】
次に、確認したい収録系統を選択する手順が行われる（ステップＳ１２）。
ここで、定時収録マスタスケジュール表示部４０の表示（ガントチャート）における横軸（時間軸）方向については、検索ボタン３８を押下した直後の表示によって適切な位置を表示していると考えられるが、縦軸（収録系統軸）については、ユーザーが確認したい位置を表示していない可能性がある。このため、ユーザーによる操作によって選択させることにより、確認したい収録系統まで縦方向にスクロールさせて、確実にその収録系統を表示させるようにした。選択された収録系統に設定されている収録スケジュールは、収録スケジュール一覧表示部４６に表示（リストアップ）されるため、収録スケジュールを確認しつつ収録系統を選択することができる。また、選択された収録系統は、強調表示される。
【００５８】
次に、収録スケジュール一覧の中から特定の収録スケジュールを選択する手順が行われる（ステップＳ１３）。
収録スケジュール一覧表示部４６で１つの収録スケジュールが選択されると、選択された収録スケジュールが強調表示され、図５に示されるように、定時収録マスタスケジュール表示部４０において選択されたスケジュールが最前面に表示されて強調表示される。これにより、選択した収録スケジュールがガントチャート上でどの位置にあるかを選択時に確認することができる。
例えば、収録スケジュール一覧表示部４６でタイトル「ＮＮＮ」の定時収録マスタに含まれる収録スケジュールが選択されると、定時収録マスタスケジュール表示部４０のガントチャートではそのスケジュールが最前面に強調表示される。
【００５９】
なお、定時収録マスタの収録スケジュールが重複して登録されている場合、定時収録マスタスケジュール表示部４０においてそれらのスケジュール帯を重ねて１段に表示する方法を採らず、多段に表示する方法も考えられ、例えば、スケジュールが重なっていれば、そのスケジュールを上下方向にずらして表示する方法が考えられる。しかしながら、この方法では、縦方向の表示領域が限られていて定時収録マスタスケジュール表示部４０で表示することができる収録系統が少なくなり、一覧性が損なわれてしまうと考えられるため、本例では、その方法を採用しなかった。
【００６０】
定時収録マスタスケジュール表示部４０の時間軸（横方向）の表示スケールについて説明する。
本例では、定時収録マスタスケジュール表示部４０の横方向について、左端は収録日（収録日設定部３１の設定値）の３日前の時刻００：００から始まり、右端は収録日（収録日設定部３１の設定値）の３日後の時刻２３：５９まで（７日間分）用意している。そして、実際に定時収録マスタスケジュール表示部４０で表示する部分は、その全体の一部分である。全体で７日間を用意する理由は、一週間以上のエリアを用意しても、同じ曜日を繰り返すだけであり表示する必要がないと考えられたためであるが、本例に限定されず、他の態様が用いられてもよい。
【００６１】
表示スケールドロップダウン３９により、定時収録マスタスケジュール表示部４０の時間軸の表示スケールを指定することができる。例えば、「３時間」を選択すると定時収録マスタスケジュール表示部４０の右端から左端までを３時間として表示する。
図７には、表示スケールを変えたときの表示例を示してある。
図７（ａ）には表示スケールが「３時間」である場合の表示例を示してあり、図７（ｂ）には表示スケールが「６時間」である場合の表示例を示してあり、図７（ｃ）には表示スケールが「２４時間」である場合の表示例を示してある。本例では、表示スケールを大きくして帯が小さくなった場合には、図７（ｃ）に示されるように、時間尺を重視するために表示文字の一部を表示しないようにしている（図示の例では、収録系統０１において、１文字目だけを表示している）。
【００６２】
定時収録マスタスケジュール表示部４０における日またぎの定時収録マスタの表示について説明する。
本例では、日またぎとは、収録スケジュールが午前零時を含む場合のことを表し、例えば、収録時間が２３時（午後１１時）から午前３時までの場合等を表す。
定時収録マスタスケジュール表示部４０の横方向としては、指定された収録日の前後３日分（全７日分）が用意されるため、その期間内での日またぎの表示は、１つの時間帯として表示される。
また、収録日の４日前から３日前へ、又は、収録日の３日後から４日後へ、の日またぎは、スケジュール帯の表示を切り分けて２つの時間帯で表示されるようにした。
【００６３】
図８には、日またぎの表示例を示してある。
図８（ａ）には、週の中間日の日またぎの表示例を示してある。図示されるように、収録日（検索条件）として５月１４日が指定された場合において、５月１２日から１３日の日またぎは、収録日の前後３日の間で１つの時間帯として表示される。
図８（ｂ）には、収録日の前後３日の端をまたぐ日またぎの表示例を示してある。図示されるように、収録日３１（検索条件）として５月１４日が指定された場合において、５月１０日から５月１１日の日またぎと５月１７日から１８日の日またぎは、切り分けて表示される。
【００６４】
図９には、定時収録マスタ管理画面３の表示動作のフローの一例を示してある。
定時収録マスタ管理画面３において、検索条件が入力された後で検索ボタン３８が押下されると（ステップＳ３１）、まず、定時収録マスタを登録しているＤＢから検索条件に該当する定時収録マスタ及びその収録スケジュールを取得する（ステップＳ３２）。
そして、全ての定時収録マスタの収録スケジュールについて、次のような処理（ステップＳ３４〜ステップＳ３８）が繰り返して実行される（ステップＳ３３、ステップＳ３９）。
【００６５】
まず、検索条件に該当する定時収録マスタの収録スケジュールを収録スケジュール一覧表示部４６に表示するために、収録スケジュール一覧用の内部リストにそのデータを追加する（ステップＳ３４）。
次に、検索条件に該当する定時収録マスタの収録スケジュールを定時収録マスタスケジュール表示部４０に表示するために、検索条件で指定された収録日の前後３日間にその収録スケジュールが当てはまる具体的な年月日と時間を算出する処理を行う（ステップＳ３５）。
【００６６】
この理由は、本例では、定時収録マスタの収録スケジュールは、有効期間、収録曜日、及び、収録時間のみが設定されている抽象的なデータであるため、そのままでは、収録日の前後に具体的に何日等に定時収録が行われるように設定されているかがわからず、日時を特定している定時収録マスタスケジュール表示部４０に表示することができないためである。例えば、有効期間が２００９年１０月１日（木）から２００９年１０月３１日（土）であり、収録曜日が月曜日と水曜日であり、収録時間が１０時から１２時である場合において、収録日の指定を１０月２０日（火）としたときには、収録日の前後３日間に当てはまる収録スケジュールは、２００９年１０月１９日（月）の１０時から１２時と２００９年１０月２１日（水）の１０時から１２時と算出される。
本例では、このように具体化した収録スケジュールを具体化スケジュールと言う。
【００６７】
その後、全ての具体化スケジュールについて、次の処理（ステップＳ３７）が繰り返して実行される（ステップＳ３６、ステップＳ３８）。
すなわち、検索条件に該当する定時収録マスタの具体化スケジュールを定時収録マスタスケジュール表示部４０に表示するために、該当する日、時間の部分にスケジュール帯のデータを追加する処理を行う（ステップＳ３７）。
【００６８】
以上の処理（ステップＳ３１〜ステップＳ３９）が全ての定時収録マスタの収録スケジュールについて終了すると、以上の処理によるデータの更新を表示するために、少なくとも、収録スケジュール一覧表示部４６、及び、定時収録マスタスケジュール表示部４０を再描画する（ステップＳ４０）。
【００６９】
図１０には、定時収録マスタ一覧画面４の詳細例を示してある。
定時収録マスタ一覧画面４は、定時収録マスタ一覧表示部１０１、全スケジュール書出ボタン１０２、変更ボタン１０３、削除ボタン１０４、戻るボタン１０５を有している。
定時収録マスタ一覧表示部１０１は、ＤＢに登録されている全ての定時収録マスタを一覧表示する領域である。１又は複数の定時収録マスタを選択することができる。また、各列のヘッダーをクリックすることにより、一覧の並べ替えを行うことができる。
【００７０】
全スケジュール書出ボタン１０２は、ＤＢに登録されている全ての定時収録マスタをファイルに書き出すためのボタンである。全スケジュール書出ボタン１０２が押下されると、ファイル名等を指定するためのダイアログを表示してファイル名等の入力を受け付け、そのダイアログの「ＯＫ」ボタンが押下されると、ＤＢに登録されている全ての定時収録マスタの収録スケジュールをファイル（例えば、ＣＳＶ形式のファイル）に書き出して、入力されたファイル名で保存する。
【００７１】
変更ボタン１０３は、定時収録マスタ一覧表示部１０１で選択されている定時収録マスタの内容を変更するためのボタンである。未選択の場合や２つ以上選択されている場合には、不活性（すなわち、操作不能な状態）とする。変更ボタン１０３が押下されると定時収録マスタ編集画面６へ画面遷移し、遷移先の画面において、定時収録マスタの内容を変更することができる。
【００７２】
削除ボタン１０４は、定時収録マスタ一覧表示部１０１で選択されている定時収録マスタをＤＢから削除するためのボタンである。削除ボタン１０４が押下されると確認ダイアログを表示し、そのダイアログの「ＯＫ」ボタンが押下されると、選択中の定時収録マスタをＤＢから削除する。
戻るボタン１０５は、定時収録マスタ管理画面３に戻るためのボタンである。戻るボタン１０５が押下されると、定時収録マスタ管理画面３へ画面遷移する。
【００７３】
定時収録マスタのＣＳＶファイルへの書き出しについて説明する。
本例では、定時収録マスタのデータを別のアプリケーションで利用するために、定時収録マスタ一覧画面４からＣＳＶファイルへの書き出しができるようにしてある。具体的には、定時収録マスタ一覧画面４の全スケジュール書出ボタン１０２が押下されると、ファイル保存ダイアログボックスを表示して、定時収録マスタの書き出し先となる外部メディアとファイル名の指定を受け付け、指定された書き出し先にＣＳＶ形式で書き出すようにした。
【００７４】
図１１には、定時収録マスタ重複チェック結果一覧画面５の詳細例を示してある。
定時収録マスタ重複チェック結果一覧画面５は、重複チェック結果一覧表示部１２１、重複チェック結果書出ボタン１２２、戻るボタン１２３を有している。
【００７５】
重複チェック結果一覧表示部１２１は、ＤＢに登録されている全ての定時収録マスタの重複チェック結果を一覧表示する領域である。重複１件につき１行を表示する。各列のヘッダーを指定（例えば、クリック）することにより、一覧の並べ替えを行うことができる。
【００７６】
重複チェック結果書出ボタン１２２は、ＤＢに登録されている全ての定時収録マスタの重複チェック結果をファイルに書き出すためのボタンである。重複チェック結果書出ボタン１２２が押下されると、ファイル名等を指定するためのダイアログを表示してファイル名等の入力を受け付け、そのダイアログの「ＯＫ」ボタンが押下されると、ＤＢに登録されている全ての定時収録マスタの重複チェック結果をファイル（例えば、ＣＳＶ形式のファイル）に書き出して、入力されたファイル名で保存する。
【００７７】
戻るボタン１２３は、定時収録マスタ管理画面３に戻るためのボタンである。戻るボタン１２３が押下されると、定時収録マスタ管理画面３へ画面遷移する。
【００７８】
重複チェック結果一覧表示部１２１の表示の並べ替えについて説明する。
重複チェック結果一覧表示部１２１では、各列のヘッダーを指定（例えば、クリック）することで、並べ替えを行うことができる。
図１２には、重複チェック結果一覧表示の並べ替えの例として、「重複時間ｆｒｏｍ」列で並べ替えた例を示してある。
図示されるように、例えば「重複時間ｆｒｏｍ」列で並べ替えを行うと、いずれの収録スケジュールといずれの収録スケジュールが重複しているかを確認し易いという効果がある。
【００７９】
定時収録マスタ重複チェック結果のＣＳＶファイルへの書き出しについて説明する。
本例では、定時収録マスタの重複チェック結果データを別のアプリケーションで利用するために、本画面（定時収録マスタ重複チェック結果一覧画面５）からＣＳＶファイルの書き出しができるようにしてある。具体的には、定時収録マスタ重複チェック結果一覧画面５の重複チェック結果書出ボタン１２２が押下されると、ファイル保存ダイアログボックスを表示して重複チェック結果データの書き出し先となる外部メディアとファイル名の指定を受け付け、指定された書き出し先にＣＳＶ形式で書き出すようにした。
【００８０】
図１３には、定時収録マスタ編集画面６の概要例を示してある。
本例の定時収録マスタ編集画面６は、領域Ａ１１〜Ａ１４の四つの領域に分割されている。
領域Ａ１１は、定時収録マスタの共通編集項目を設定する領域である。
領域Ａ１２は、定時収録マスタに含まれる複数の収録スケジュールの一覧を表示する領域である。
領域Ａ１３は、定時収録マスタの収録スケジュールの編集項目を設定する領域である。
領域Ａ１４は、操作ボタンを配置する領域である。
【００８１】
領域Ａ１２について詳しく説明する。
領域Ａ１２には、定時収録マスタに含まれる複数の収録スケジュールがリストアップされて表示される。更に、その収録スケジュールが有効であるか或いは無効であるかを設定することもできる。領域Ａ１２を設けることにより、収録スケジュール及びその有効無効状態の一覧性を向上させている。また、領域Ａ１２で１つの収録スケジュールを選択すると領域Ａ１３での選択も切り替わるようにすることで、収録スケジュールの有効無効状態とその設定内容を迅速に確認できるようにしてある。
【００８２】
領域Ａ１３について詳しく説明する。
領域Ａ１３は複数のタブを有する構成になっており、定時収録マスタに含まれる複数の収録スケジュールのいずれかに表示内容を切り替えることができる。ユーザーは、まず、複数の収録スケジュールのうちで編集したいものに表示を切り替えた後に、各項目の編集を行う。また、領域Ａ１３での収録スケジュールの切り替えに連動して領域Ａ１２の選択状態も切り替わるようになっており、現在編集中の収録スケジュールが有効であるか或いは無効であるかを迅速に確認することができる。
【００８３】
本例で取り扱う定時収録マスタは、１つのマスタについて、４つの収録スケジュールが付随している形式であり、編集画面をそれに合わせた形式とした。なお、１つのマスタに付随する収録スケジュールが４つから増えたとしても（又は、減っても）、画面レイアウトを大幅に変更することなく対応することが可能である。
【００８４】
定時収録マスタ編集画面６の詳細例を説明する。
領域Ａ１１は、定時収録マスタの共通編集項目の設定部として、定時収録マスタＩＤ設定部、更新日時設定部、有効期間設定部、収録曜日設定部、タイトル設定部、作成部局設定部、宛先部局設定部、内線番号設定部を有する。
【００８５】
定時収録マスタＩＤ設定部では、定時収録マスタＩＤを表示する。
更新日時設定部では、編集中の定時収録マスタの最終更新日時を表示する。新規登録の場合及びコピーして登録の場合は表示しない。
有効期間設定部では、開始日と終了日（指定日含む）を表示し、変更することができる。
設定値を変更する場合には、例えば、ボタンを選択するとカレンダーが表示され、そのカレンダーから任意の日を設定することができる。
定時収録マスタを新規登録する場合には、開始日、終了日、共に、デフォルトとして（現在日＋ｎ＋１）を表示する。ここで、デフォルトである（現在日＋ｎ＋１）におけるｎ日の値は、例えば、メンテナンス機能における環境設定のパラメータで設定され、開始日、終了日、共に、この日より前の日に設定することはできない。
有効期間設定部の右側には終了日無期限チェックボックスが設けられており、終了日無期限チェックボックスにチェックが有るときは、終了日を無期限とする。
【００８６】
収録曜日設定部では、収録を実行する曜日をチェックボックスで表示し、変更することができる。
タイトル設定部では、定時収録マスタのタイトルを表示し、変更することができる。
作成部局設定部では、作成部局を表示し、変更することができる。本例では、ドロップダウンから作成部局を選択することが可能である。
宛先部局設定部では、宛先部局を表示し、変更することができる。本例では、ドロップダウンから宛先部局を選択することが可能である。
内線番号設定部では、内線番号を表示し、変更することができる。
【００８７】
領域Ａ１２は、収録スケジュールの有効チェックリストを有する。
収録スケジュールの有効チェックリストでは、有効とする収録スケジュールを表示し、有効無効状態を変更することができる。また、いずれかの収録スケジュールが選択されることにより、領域Ａ１３の収録スケジュールタブを切り替え表示する。なお、本例では、１つの定時収録マスタに対して収録スケジュール（１）〜（４）の４つの収録スケジュールが用意されている。
【００８８】
領域Ａ１３は、収録スケジュールタブ、サブタイトル設定部、収録系統設定部、取材方法コード設定部、収録時間設定部、収録先切替機設定部、取材メモ設定部、素材種別設定部、補完入力設定部、素材元設定部、発局名設定部、出稿予定日時設定部、使用条件設定部、補完情報設定部を有する。
【００８９】
収録スケジュールタブでは、表示や変更する収録スケジュールを切り替えることができる。本例では、４つの収録スケジュール（１）〜（４）をそれぞれ示す４つのタブを設けてあり、選択されたタブに対応する収録スケジュールを表示や変更の対象とする。
【００９０】
サブタイトル設定部では、サブタイトルを表示し、変更することができる。
収録系統設定部では、収録系統を表示し、変更することができる。本例では、ドロップダウンから収録系統を選択することが可能である。また、本例では、作成部局に優先割り当て（本例では、「ある作成部局を指定する場合には、この収録系統を優先させる」というもの）されている収録系統、及び、優先割り当ての対象部局が存在しない収録系統に、選択肢を限定する。更に、本例では、収録先切替機リソースが所定のリソース（例えば、ＢＳ独自リソース）である場合には、選択肢を所定の収録系統（例えば、６１〜７０の収録系統）に限定する。また、作成部局が未選択である場合には、不活性とする（本例では、最初に作成部局を選択させるようにする）。
【００９１】
取材方法コード設定部では、取材方法コードを表示し、変更することができる。本例では、ドロップダウンから取材方法コードを選択することが可能である。
収録時間設定部では、収録開始時刻と収録終了時刻を表示し、それぞれを変更することができる。本例では、開始時刻より終了時刻の方を早い時刻に設定したときには、日またぎであるとする。
収録先切替機設定部では、現在設定されている収録先切替機リソースを表示する。本例では、収録先切替機設定部をボタンとして設けてあり、そのボタンの押下により収録先切替機切替画面８へ遷移して、収録系統に切替制御する収録先切替機リソースを選択することができる。
【００９２】
取材メモ設定部では、取材メモを表示し、変更することができる。
素材種別設定部では、素材種別を表示し、変更することができる。本例では、ドロップダウンから素材種別を選択することが可能である。
補完入力設定部では、補完入力を表示し、変更することができる。
素材元設定部では、素材元を表示し、変更することができる。
発局名設定部では、発局名を表示し、変更することができる。
出稿予定日時設定部では、出稿予定日時を表示し、変更することができる。本例では、実際に収録する日からの相対日数と時刻で設定する。
【００９３】
使用条件設定部では、使用条件を表示し、変更することができる。本例では、使用条件０１〜０７を一覧で表示しており、変更するときには一覧に直接入力する。
補完情報設定部では、補完情報を表示し、変更することができる。本例では、補完情報０１〜０７を一覧で表示しており、変更するときには一覧に直接入力する。
【００９４】
領域Ａ１４は、登録ボタン、キャンセルボタンを有する。
登録ボタンは、表示中の内容で定時収録マスタをＤＢに登録するためのボタンである。登録ボタンが押下されると確認ダイアログを表示し、そのダイアログの「ＯＫ」ボタンが押下されると、表示中の内容で定時収録マスタをＤＢに登録する。
キャンセルボタンは、編集をキャンセルして、元の画面へ戻るためのボタンである。
【００９５】
更に、定時収録マスタ編集画面６で編集される定時収録マスタの入力項目について説明する。
定時収録マスタは、予定提案タイトル、作成部局、宛先部局、内線番号、有効期間ｆｒｏｍ、有効期間ｔｏ、収録曜日、収録スケジュール（１）〜（４）の項目を有する。
【００９６】
予定提案タイトルは、定時収録マスタのタイトルを指定する項目であり、本例では、編集必須項目（定時収録マスタの編集において設定することが必須の項目）である。
作成部局は、定時収録マスタの作成部局コードを指定する項目であり、本例では、編集必須項目である。
宛先部局は、定時収録マスタの宛先部局コードを指定する項目であり、本例では、編集必須項目である。
内線番号は、定時収録マスタの作成者の内線番号を指定する項目であり、本例では、編集必須項目である。
【００９７】
有効期間ｆｒｏｍは、定時収録マスタの有効期間の開始日を指定する項目であり、本例では、編集必須項目である。この日以後の収録曜日に該当する日が定時収録を最初に実行する日となる。
有効期間ｔｏは、定時収録マスタの有効期間の終了日を指定する項目であり、本例では、無期限チェックがＯＦＦ（オフ）である場合に編集必須項目となる。この日以前の収録曜日に該当する日が定時収録を最後に実行する日となる。終了日の無期限チェックがＯＮである場合には無期限が指定される。
収録曜日は、定時収録を実行する曜日を指定する項目であり、本例では、編集必須項目である。１つ以上の曜日の指定を必要とする。
【００９８】
収録スケジュール（１）〜（４）の各収録スケジュールは、それぞれ、有効チェック、収録系統、サブタイトル、取材方法コード、収録時間ｆｒｏｍ、収録時間ｔｏ、収録先切替機、取材メモ、素材種別、使用条件、補完情報、補完入力、素材元、発局名、出稿予定日時の項目を有する。
【００９９】
有効チェックは、収録スケジュールの有効又は無効を指定する項目であり、本例では、編集必須項目である。本例では、チェックＯＮで収録スケジュールを有効とする。
収録系統は、収録系統を指定する項目であり、本例では、その収録スケジュールの有効チェックがＯＮである場合にのみ編集必須項目となる。本例では、例えば、０１〜７０が設定される。
サブタイトルは、定時収録のサブタイトルを指定する項目であり、本例では、その収録スケジュールの有効チェックがＯＮである場合にのみ編集必須項目となる。
取材方法コードは、定時収録による収録素材の取材方法コードを指定する項目であり、本例では、その収録スケジュールの有効チェックがＯＮである場合にのみ編集必須項目となる。本例では、取材方法テーブルから選択することが可能である。
【０１００】
収録時間ｆｒｏｍは、定時収録の収録開始時刻を指定する項目であり、本例では、その収録スケジュールの有効チェックがＯＮである場合にのみ編集必須項目となる。
収録時間ｔｏは、定時収録の収録終了時刻を指定する項目であり、本例では、その収録スケジュールの有効チェックがＯＮである場合にのみ編集必須項目となる。
【０１０１】
収録先切替機は、定時収録で使用する収録先切替機リソースを指定する項目であり、本例では、その収録スケジュールの有効チェックがＯＮである場合にのみ編集必須項目となる。本例では、収録先切替機テーブルから選択することが可能である。
取材メモは、定時収録による収録素材の取材メモを指定する項目である。
素材種別は、定時収録による収録素材の素材種別を指定する項目であり、本例では、その収録スケジュールの有効チェックがＯＮである場合にのみ編集必須項目となる。本例では、素材種別テーブルから選択することが可能である。
【０１０２】
使用条件は、定時収録の共通使用条件を指定する項目であり、本例では、補完情報と対で０１〜０７まで入力することが可能である。
補完情報は、定時収録の共通補完情報を指定する項目であり、本例では、使用条件と対で０１〜０７まで入力することが可能である。
【０１０３】
補完入力は、入稿に関する補完情報を指定する項目である。
素材元は、素材元を指定する項目である。
発局名は、発局情報を指定する項目である。
出稿予定日時は、出稿予定日時を収録日からｎ日後の時分で指定する項目であり、本例では、その収録スケジュールの有効チェックがＯＮである場合にのみ編集必須項目となる。
【０１０４】
有効期間の指定方法について説明する。
本例の定時収録マスタ編集画面６では、有効期間設定部における開始日および終了日の各指定欄の右側にそれぞれカレンダーボタンが設けられており、カレンダーボタンが押下されることで表示される月単位のカレンダーの中から日付を選択することができるようにしてある。また、収録日指定欄（開始日及び終了日の各指定欄）を選択した後に、キーボードにより日付を直接入力することもできる。
【０１０５】
収録曜日と収録時間の日またぎについて説明する。
本例では、収録時間の指定において、開始時刻よりも終了時刻の方を早い時刻に設定したときに、その収録時間は日またぎであると認識する。この場合、収録曜日でチェックを付けた曜日が、開始時刻に適用される。
例えば、収録曜日の指定において木曜と日曜を指定され、収録時間の指定において収録開始時刻が２１時５９分、収録終了時刻が１時００分と指定された場合には、収録開始時刻（２１時５９分）より収録終了時刻（１時００分）の方が早い時刻であるため、日またぎであると認識し、木曜日の２１時５９分から金曜日の１時００分、及び、日曜日の２１時５９分から月曜日の１時００分といった２つの時間帯が指定されたと解釈する。
【０１０６】
定時収録マスタ編集画面６における登録ボタンの押下時における編集必須項目チェックと定時収録マスタ重複チェックについて説明する。
編集必須項目チェックでは、定時収録マスタの入力項目の説明で示した編集必須項目について、各項目が入力されているか否かをチェック（検査）する。なお、収録系統、サブタイトル、取材方法コード、収録時間ｆｒｏｍ、収録時間ｔｏ、収録先切替機、素材種別、出稿予定日時については、有効チェックがＯＮにされて収録スケジュールが有効であるときにのみチェックする。
このチェックの結果、編集必須項目が入力されていない場合には、エラーメッセージを表示して処理を中断する。なお、本例では、編集必須項目チェックは、定時収録マスタ重複チェックの前に実行される。
【０１０７】
定時収録マスタ重複チェックでは、当該マスタの収録スケジュール（１）〜（４）が、ＤＢに登録されているその他全ての定時収録マスタの収録スケジュールと重複しているか否かをチェックする。本例では、このチェックの対象は、有効な収録スケジュール（有効チェックがＯＮである収録スケジュール）のみとする。
【０１０８】
本例では、重複チェックは以下の手順（処理１）〜（処理４）で実行する。なお、他の手順が用いられてもよい。
（処理１）定時収録マスタの有効期間に重複があるか否かを判定する。ここでの有効期間は、日またぎ、及び、収録曜日を考慮した日時で判定する。
（処理２）（処理１）の結果、重複ありのマスタに含まれる有効な収録スケジュール対して、同一の収録系統が割り当てられているか否かを判定する。
（処理３）（処理２）の結果、同一収録系統が割り当てられていた収録スケジュールに対して、収録時間に重複があるか否かを判定する。ここでの収録時間は、日またぎ、及び、収録曜日を考慮した時間で判定する。
（処理４）（処理３）の結果、収録時間に重複があった場合には、その収録スケジュール（２以上の収録スケジュール）に対して重複していると判定する。
【０１０９】
このチェックの結果、重複した収録スケジュールがあった場合には、その旨のメッセージを画面に表示する。その後、該当するマスタの登録と共に、重複時間を含む重複チェック結果もＤＢに登録する。
一方、このチェックの結果、重複した収録スケジュールがなかった場合には、メッセージを表示しないで、該当するマスタのＤＢへの登録を実行する。
【０１１０】
上記した（処理１）の有効期間について、日またぎ、及び、収録曜日を考慮することについて説明する。
例えば、暦の上で切れ目の良い期間を有効期間に設定したとしても、それが同時に週の切れ目となるとは限らない。具体例として、有効期間を２００９年１０月１日（木）から２００９年１０月３１日（土）に設定すると、有効期間の先頭の曜日は木曜日であり、有効期間の最後の曜日は土曜日となる。このため、２００９年１０月１日（木）と同じ週の水曜日は有効期間に含まれない。また、２００９年１０月３１日（土）と同じ週の日曜日（ここでは、２００９年１０月３１日（土）の次の日の日曜日）は有効期間に含まれない。
【０１１１】
また、収録曜日は全ての曜日が収録曜日に設定されるとは限らず、つまり、１以上の任意の曜日を選択することが可能である。具体例として、有効期間を２００９年１０月１日（木）から２００９年１０月３１日（土）に設定したとしても、収録曜日が水曜日だけである場合には、実際に収録を開始する先頭日は２００９年１０月７日（水）であり、最後日は２００９年１０月２８日（水）となる。
【０１１２】
また、日またぎの収録時間を設定した場合には、設定した収録曜日が開始時間に適用されることを考慮しなければならない。具体例として、有効期間を２００９年１０月１日（木）から２００９年１０月３１日（土）、収録曜日を水曜日だけに設定し、収録時間が２０時から翌４時である場合には、有効期間（ここでは、実際に収録が行われるときを考慮した有効期間）の日時は先頭が２００９年１０月７日（水）２０時であり、最後が２００９年１０月２９日（木）４時となる。
このことから、定時収録マスタ重複チェックの有効期間は日またぎ、及び、収録曜日を考慮した日時（実際の日付及び時刻）で判定する。
【０１１３】
上記した（処理３）の収録時間について、日またぎ、及び、収録曜日を考慮することについて説明する。
例えば、日またぎの収録時間を設定した場合には、設定した収録曜日が開始時間に適用されることを考慮しなければ重複判定を間違うことがある。具体例として、定時収録マスタＡの収録スケジュールＡの有効期間を２００９年１０月１日（木）から２００９年１０月３１日（土）、収録曜日を水曜日だけ、収録時間を２０時から翌４時に設定したとする。一方で、他の定時収録マスタＢの収録スケジュールＢの有効期間を同じ期間、収録曜日を木曜日だけ、収録時間を１時から６時に設定したとする。この場合、収録曜日のみを独立した判定条件として比較すれば、双方のマスタの収録スケジュールは重複しないと判定してしまうことがあるが、実際は木曜日の１時から４時が重複してしまう。
このことから、定時収録マスタ重複チェックの収録時間は、日またぎ、及び、収録曜日を考慮した時間で判定する。
【０１１４】
以上のように、本例では、ビデオサーバーシステムにおける定時収録マスタに関する画面を用いて、定時収録スケジュールを管理することができ、例えば、ビデオサーバーシステムの定時収録マスタを表示や編集する画面群において、一覧性や操作性を損なうことなく、表示や編集することを支援することができる。具体例として、複数の収録系統（例えば、７０収録系統）のそれぞれにおいて、重複したスケジュールの登録を許容しておいて、その後に、ユーザーにより、その重複をチェックすることや、その重複を外すように編集することが可能である。このように、本例の画面構成では、ユーザーにとっての使い勝手を全体的に良くすることができる。
【０１１５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【０１１６】
１・・ログイン画面、  ２・・メンテナンスメニュー画面、  ３・・定時収録マスタ管理画面、  ４・・定時収録マスタ一覧画面、  ５・・定時収録マスタ重複チェック結果一覧画面、  ６・・定時収録マスタ編集画面、  ７・・定時収録マスタ削除画面、  ８・・収録先切替機切替画面、
３１・・収録日設定部、  ３２・・収録開始時刻設定部、  ３３・・タイトル設定部、  ３４・・サブタイトル設定部、  ３５・・収録先切替機設定部、  ３６・・宛先部局設定部、  ３７・・素材種別設定部、  ３８・・検索ボタン、  ３９・・表示スケールドロップダウン、  ４０・・定時収録マスタスケジュール表示部、  ４１・・収録系統表示欄、  ４２・・日時表示欄、  ４３・・定時収録マスタ表示欄、  ４４・・縦方向スクロールバー、  ４５・・横方向スクロールバー、  ４６・・収録スケジュール一覧表示部、  ４７・・全マスタ一覧ボタン、  ４８・・重複チェック結果一覧ボタン、  ４９・・新規登録ボタン、  ５０・・コピーして登録ボタン、  ５１・・変更ボタン、  ５２・・削除ボタン、  ５３・・戻るボタン、
７１・・カレンダーボタン、  ７２・・カレンダー、
１０１・・定時収録マスタ一覧表示部、  １０２・・全スケジュール書出ボタン、  １０３・・変更ボタン、  １０４・・削除ボタン、  １０５・・戻るボタン、
１２１・・重複チェック結果一覧表示部、  １２２・・重複チェック結果書出ボタン、  １２３・・戻るボタン、
２０１・・収録管理装置、  ２１１・・入力部、  ２１２・・記憶部、  ２１３・・表示部、  ２１４・・制御部、  ２２１・・重複検出部、
【図１】
0005544601.tif 000002
【図２】
0005544601.tif 000003
【図３】
0005544601.tif 000004
【図４】
0005544601.tif 000005
【図５】
0005544601.tif 000006
【図６】
0005544601.tif 000007
【図７】
0005544601.tif 000008
【図８】
0005544601.tif 000009
【図９】
0005544601.tif 000010
【図１０】
0005544601.tif 000011
【図１１】
0005544601.tif 000012
【図１２】
0005544601.tif 000013
【図１３】
0005544601.tif 000014
【図１４】
0005544601.tif 000015